(57)【特許請求の範囲】
【請求項１】
本体ケースと、
前記本体ケースの一面側に配置される表示用の液晶表示基板と、
前記本体ケース内で前記液晶表示基板と交差する向きに配される回路基板と、
一対の側端部にそれぞれ端子が露出して配され、前記液晶表示基板に設けられる導電用の第１パターンと、前記回路基板に設けられる導電用の第２パターンとを導通させる圧接型コネクタと、
前記圧接型コネクタの一端側部分を前記回路基板側に案内すると共に、他端側部分を前記一端側部分に対して屈曲させて前記液晶表示基板側に案内し、両端部がそれぞれ前記回路基板及び前記液晶表示基板によって押圧状態となるように当該圧接型コネクタを保持するガイド部と、
を備えたことを特徴とする電子機器。
【請求項２】
前記回路基板に対して前記液晶表示基板が直交する向きに配置されており、
前記ガイド部は、前記一端側部分に対して前記他端側部分を略直交させる向きに案内するように形成されていることを特徴とする請求項１に記載の電子機器。
【請求項３】
前記ガイド部は、前記圧接型コネクタの屈曲部における外側面に当接し、かつ前記液晶表示基板の基板面及び前記回路基板の基板面に対して傾斜する案内面を有し、
前記案内面と前記回路基板とによって前記一端側部分が挟持されており、かつ当該案内面と前記液晶表示基板とによって前記他端側部分が挟持されていることを特徴とする請求項１又は請求項２に記載の電子機器。
【請求項４】
前記ガイド部は、折り曲げられた前記圧接型コネクタにおける前記一端側部分の外側面と対向しかつ前記回路基板の基板面と直交する第１壁面を有する第１ガイド壁と、
前記圧接型コネクタの前記他端側部分の外側面と対向しかつ前記液晶表示基板の基板面と直交する第２壁面を有する第２ガイド壁と、
前記第１ガイド壁及び前記第２ガイド壁のそれぞれに隣接して配置され、かつ前記圧接型コネクタの屈曲部の外側面と対向する湾曲壁面を有する湾曲壁と、
を有することを特徴とする請求項１ないし請求項３のいずれかに記載の電子機器。
【請求項５】
前記回路基板には、前記液晶表示基板に対するバックライト用の発光素子が配置されていることを特徴とする請求項１ないし請求項４のいずれかに記載の電子機器。
【請求項６】
前記発光素子は、素子本体部と当該素子本体部と前記回路基板とを接続する接続端子とを有し、前記素子本体部の一端部が前記回路基板の基板面と対向すると共に、前記一端部側から前記接続端子が前記回路基板と電気的に接続され、前記一端部に対し側方側から光を照射するサイド照射型発光素子として構成されていることを特徴とする請求項５に記載の電子機器。
【発明の詳細な説明】
【技術分野】
【０００１】
本発明は、電子機器に関する。
【背景技術】
【０００２】
従来より、液晶表示部を備えた電子機器において、圧接型コネクタを用いて液晶表示基板と他の回路基板とを接合する技術が提供されている。例えば、特許文献１の構成では、フレキシブルプリント基板に形成されたパターンと液晶表示部の透明電極とを圧接型コネクタによって導通させる構成が開示されている。
【特許文献１】特開平１１−５２８８１号公報
【発明の開示】
【発明が解決しようとする課題】
【０００３】
ところで、上記のような液晶表示基板の接合に用いられる圧接型コネクタは特許文献１のように略平行に配される２つの基板によって挟持する構成が一般的である。即ち、圧接型コネクタの一端部に配される端子を液晶表示基板のパターン部分で押圧し、他端部に配される端子を他の回路基板のパターン部分で押圧する構成が一般的である。
【０００４】
しかしながら、液晶表示基板とその液晶表示基板と導通させる回路基板とが平行に配置できなかったり、平行に配置することによりデメリットが生じるケースなどの場合、両基板の基板面が交差（例えば直交）するように配置することが望ましい。しかしながら、このように配置すると両基板によって圧接型コネクタを挟持できないため圧接型コネクタの端子によって基板上のパターン部分を安定して押圧できず、両基板の導通を確保しにくくなってしまう。
【０００５】
一方、このように液晶表示基板と接続対象の回路基板とを交差状態で配置する場合、液晶表示基板と回路基板との間に、液晶表示基板と平行に配される小サイズの中間基板を別途設け、その中間基板と回路基板とを接続するようにして液晶表示基板と回路基板との導通を図る方法も考えられる。しかしながら、このように２段階で接続するようにすると、部品点数が増大すると共にコスト高騰を招き、必要となる設置スペースも大きくなってしまう。
【０００６】
本発明は上記のような事情に基づいてなされたものであって、本体ケース内で液晶表示基板と回路基板とを互いに交差する向きに配置した場合であっても、圧接型コネクタと両基板との導通を適切に図ることのできる構成を提供することを目的とする。
【課題を解決するための手段】
【０００７】
上記の目的を達成するための手段として、請求項１の発明は、電子機器において、
本体ケースと、
前記本体ケースの一面側に配置される表示用の液晶表示基板と、
前記本体ケース内で前記液晶表示基板と交差する向きに配される回路基板と、
前記液晶表示基板に設けられる導電用の第１パターンと、前記回路基板に設けられる導電用の第２パターンとを導通させる圧接型コネクタと、
前記圧接型コネクタの一端側部分を前記回路基板側に案内すると共に、他端側部分を前記一端側部分に対して屈曲させて前記液晶表示基板側に案内し、両端部がそれぞれ前記回路基板及び前記液晶表示基板によって押圧状態となるように当該圧接型コネクタを保持するガイド部と、
を備えたことを特徴とする。
【０００８】
請求項２の発明は、請求項１に記載の電子機器において、
前記回路基板に対して前記液晶表示基板が直交する向きに配置されており、
前記ガイド部は、前記一端側部分に対して前記他端側部分を略直交させる向きに案内するように形成されていることを特徴とする。
【０００９】
請求項３の発明は、請求項１又は請求項２に記載の電子機器において、
前記ガイド部は、前記圧接型コネクタの屈曲部における外側面に当接し、かつ前記液晶表示基板の基板面及び前記回路基板の基板面に対して傾斜する案内面を有し、
前記案内面と前記回路基板とによって前記一端側部分が挟持されており、かつ当該案内面と前記液晶表示基板とによって前記他端側部分が挟持されていることを特徴とする。
【００１０】
請求項４の発明は、請求項１ないし請求項３のいずれかに記載の電子機器において、
前記ガイド部は、折り曲げられた前記圧接型コネクタにおける前記一端側部分の外側面と対向しかつ前記回路基板の基板面と直交する第１壁面を有する第１ガイド壁と、
前記圧接型コネクタの前記他端側部分の外側面と対向しかつ前記液晶表示基板の基板面と直交する第２壁面を有する第２ガイド壁と、
前記第１ガイド壁及び前記第２ガイド壁のそれぞれに隣接して配置され、かつ前記圧接型コネクタの屈曲部の外側面と対向する湾曲壁面を有する湾曲壁と、
を有することを特徴とする。
【００１１】
請求項５の発明は、請求項１ないし請求項４のいずれかに記載の電子機器において、
前記回路基板には、前記液晶表示基板に対するバックライト用の発光素子が配置されていることを特徴とする。
【００１２】
請求項６の発明は、請求項５に記載の電子機器において、
前記発光素子は、素子本体部と当該素子本体部と前記回路基板とを接続する接続端子とを有し、前記素子本体部の一端部が前記回路基板の基板面と対向すると共に、前記一端部側から前記接続端子が前記回路基板と電気的に接続され、前記一端部に対し側方側から光を照射するサイド照射型発光素子として構成されていることを特徴とする。
【発明の効果】
【００１３】
＜請求項１の発明＞
請求項１の発明によれば、本体ケース内で液晶表示基板と回路基板とを互いに交差する向きに配置した場合に、圧接型コネクタの両端部がそれぞれ回路基板及び液晶表示基板によって押圧状態となるように圧接型コネクタをガイド部によって保持することができる。
【００１４】
＜請求項２の発明＞
請求項２の発明によれば、液晶表示基板と回路基板を直交する向きに効率的に配置できる。一方、このように液晶表示基板と回路基板とを直交状態で配置すると、液晶表示基板と回路基板とによって圧接型コネクタを挟持できなくなるため圧接触型コネクタの両端部をそれぞれ液晶表示基板及び回路基板に押圧させることが困難となるが、請求項２のようにガイド部によって一端側部分と他端側部分とが略直交するように案内するように構成すれば、両端部をそれぞれの基板に適切に押圧できるようになる。
【００１５】
＜請求項３の発明＞
請求項３の発明によれば、ガイド部において、圧接型コネクタの屈曲部における外側面に当接し、かつ液晶表示基板の基板面及び回路基板の基板面に対して傾斜する案内面が設けられ、案内面と回路基板とによって一端側部分を挟持し、かつ当該案内面と液晶表示基板とによって他端側部分を挟持しているため、圧接型コネクタを折り曲げ状態とした上でそれぞれの端部を安定して基板に押圧させることのできる好適例となる。
【００１６】
＜請求項４の発明＞
請求項４の発明によれば、ガイド部において、折り曲げられた圧接型コネクタにおける一端側部分の外側面と対向しかつ回路基板の基板面と直交する第１壁面を有する第１ガイド壁と、圧接型コネクタの他端側部分の外側面と対向しかつ液晶表示基板の基板面と直交する第２壁面を有する第２ガイド壁とが形成されているため、折り曲げられた圧接型コネクタの復帰力を利用してその圧接型コネクタのそれぞれの端部を各基板に対し直交する向きに適切に案内できる。また、第１ガイド壁及び第２ガイド壁と隣接して圧接型コネクタの屈曲部の外側面と対向する湾曲壁面を有する湾曲壁が形成されているため、圧接型コネクタをガイド部に保持させる際にスムーズに誘導できると共にその湾曲面を利用して両端部における押圧力を生じさせることができいる。
【００１７】
＜請求項５の発明＞
請求項５の発明によれば、回路基板に液晶表示基板に対するバックライト用の発光素子を配置しているため、バックライト用の基板を別途液晶表示基板と平行に配置する必要がなく、部品点数削減、コスト低減を効果的に実現できる。
【００１８】
＜請求項６の発明＞
請求項６の発明によれば、回路基板に搭載される発光素子が、液晶表示基板の基板面に沿った側方側に光を照射する構成であるため、直交配置された回路基板を利用して液晶表示基板に対してコンパクトにかつ効率的に光を照射できる。
【発明を実施するための最良の形態】
【００１９】
本発明の実施形態１を図１ないし図５を参照しつつ説明する。
図１は、実施形態１に係る検出スイッチ１を例示する平面図であり、図２は、その検出スイッチ１の斜視図である。図３は検出スイッチ１のブロック図である。また、図４は、検出スイッチ１の側面図であり、図５は検出スイッチ１の正面図である。図６は、図４のＡ−Ａ切断線にて切断したＡ−Ａ断面概略図であり、図７は、図１のＢ−Ｂ切断線にて切断したＢ−Ｂ断面概略図である。図８は、液晶表示基板１０、圧接型コネクタ３０、回路基板２０の関係を概念的に説明する斜視図である。
【００２０】
１．全体構成
図１、図２、図４、図５に示すように、検出スイッチ１は、略直方体状をなす本体ケース２を有し、その上面には、図１に示すように、作業者によって入力操作可能に構成される操作手段４０と、液晶表示基板１０を備えた表示手段５とを有する構成となっている。
【００２１】
操作手段は、複数のキー４１、４２、４３によって構成されておりモード設定などに用いられる設定キー４１と、選択操作などに用いられる選択キー４２、４３を備えた構成となっている。キー４１、４２、４３の操作は、後述するＣＰＵ５１（図３）に伝達され、各種操作が反映されるようになっている。
【００２２】
表示手段５は、図６、図７に示す液晶表示基板１０において文字、記号、数字、図形等が表示されるようになっており、例えば、検出動作時（ＲＵＮモード）においては、作業者が予め所定の条件に対応付けて設定した文字、記号、数字、図形等の組合せからなる標識が表示されることにより、作業者等は被検出物の有無等を知ることができる。なお、標識の設定時（ＳＥＴモード）においては、設定可能な標識等が表示されるようになっている。これ以外の各種表示も勿論可能である。
【００２３】
また、検出スイッチ１の内部おいて前部側には、所定の検出領域（被検出物）へ光を照射する投光素子からなる投光手段５４（図３参照）と、投光手段５４から投光された光のうち被検出物にて反射等した光を受光する受光素子からなる受光手段５５（図３参照）とが設けられている。
【００２４】
検出スイッチ１の後方側には外部入力部５７（図３、図７参照）が設けられており、この外部入力部５７には例えば通信ケーブル（例えば、ＲＳ−２３２Ｃ規格のケーブル）などが接続されるようになっている。このような通信ケーブルを介して当該検出スイッチ１の外部に設けられる外部機器７０と接続できるように構成される。例えば、外部機器７０にて入力された内容が検出スイッチ１内のＣＰＵ５１にて受信される構成をなし、かつ検出スイッチ１による検出状態等の信号を外部機器７０に送信することにより外部機器７０にて当該検出スイッチ１からの信号に基づく処理（例えば、外部機器７０のディスプレイに検出スイッチ１の検出状態等を表示させる処理など）が可能となっている。
【００２５】
本体ケース２は、２つのケース部材２Ａ、２Ｂが組み合わされて扁平の直方体状に構成されており、前後に前面壁３Ａ、背面壁３Ｂを備え、左右には側面壁３Ｃ、３Ｄを備えている。また、上下に上面壁３Ｅ、下面壁３Ｆを備えている。本実施形態では、側面壁３Ｃ、３Ｄが広い領域の壁部とされており互いに略平行状態となるように配されている。上面壁３Ｅ、下面壁３Ｆはそれら側面壁３Ｃ、３Ｄよりも狭い領域の壁部とされており、互いに略平行状態となるように配されている。さらに、前面壁３Ａ、背面壁３Ｂは互いに略平行状態となるように配されており面壁３Ｅ、下面壁３Ｆよりも狭い領域の壁部とされている。
【００２６】
また、前面壁３Ａには２つの孔６Ａ，６Ｂが形成されており、この孔６Ａ，６Ｂを介して図示しない２つの光ファイバケーブルの端部がそれぞれ本体ケース２の内部に挿通される構成となっている。孔６Ａに挿通される光ファイバケーブルは、投光手段５４からの光を導出するものであり、孔６Ｂに挿通される光ファイバケーブルは外部からの光（例えば被検出物にて反射等した光）を受光手段５５に誘導するものである。なお、下面壁３Ｆは段差状に構成されており、第１下面壁４Ａとそれよりも上方の第２下面壁４Ｂとを有している。このように形成される段差部には図示しないＤＩＮレールが配されるようになっており、具体的にはＤＩＮレールのレール側部が係合部７Ａと、弾性変形可能な撓み係合部７Ｂとの間に挟持されるようにして当該検出スイッチ１がＤＩＮレールに取り付けられるようになっている。
【００２７】
２．検出スイッチの電気的構成
図３は、検出スイッチ１の電気的構成を示すブロック図である。図中、符号５１はＣＰＵであり、ＣＰＵ５１は、投光手段５４に投光信号を送信して当該投光手段５４を投光させるとともに、受光手段５５から受光量レベルに応じた受光信号を受信する。そして、ＣＰＵ５１にて受光信号の受光量レベルを所定の閾値レベルと比較して、当該受光量レベルが所定の閾値レベルよりも大きい場合には、検出信号を出力するようになっている。なお、これらＣＰＵ５１、投光手段５４、受光手段５５は、回路基板２０に実装されている。
【００２８】
また、ＣＰＵ３０は、通信ケーブルと接続される外部入力部５７を介して外部機器７０から送信された情報（文字、記号、数字、図形等の組合せからなる標識や、当該標識を表示する条件も入力される場合には、当該条件等も含む）及び、操作手段の操作に応じた信号を受信可能に構成されている。また、ＣＰＵ５１と接続するメモリ５２が設けられており、ＣＰＵ５１にて扱われる各種情報をメモリ５１に記憶できるように構成されている。また、メモリ５２に記憶される各種情報を読み出し可能とされている。なお、メモリ５２は、ＲＯＭ、ＲＡＭ、ＥＥＰＲＯＭ等の不揮発性メモリなどによって構成することができ、これら１種の記憶媒体によって構成されていてもよく、複数種の記憶媒体によって構成されていてもよい。
【００２９】
ＣＰＵ５１に対し、外部入力部５７や操作手段４０から、各種指令を与えることができるようになっており、例えばメモリ５２に記憶した情報等を表示するという信号（命令）を受けたときは、メモリ５２に記憶した情報等を読み出し、表示手段５に表示させるといった処理が行われる。
【００３０】
３．ガイド部等の構成
次に、ガイド部６０の構成について主として図６ないし図８を参照して説明する。
本発明の電子機器の一例に相当する検出スイッチ１は、上述したように本体ケース２を備えており、この本体ケース２の内部に、本体ケース２の一面側（即ち上面側）に配置される表示用の液晶表示基板１０と、本体ケース２内で液晶表示基板１０と交差する向きに配される回路基板２０とが設けられている。液晶表示基板１０は、透明部材１２を介して液晶表示部が視認可能となるように配されている。
【００３１】
図６、図７に示すように、回路基板２０は、側面壁３Ｃ，３Ｄの間においてこれら側面壁３Ｃ，３Ｄと平行に配されており、本体ケース２に固定又は本体ケース２と一体的に形成される４つの係合片８１と係合すると共に、壁部８３、８５、８７によって支持される形態で固定されている。この回路基板２０には外側に露出するキー４１、４２、４３が接続されると共に、コネクタとして構成される外部入力部５７の端子が固定されている。なお、図７では、回路基板２０に形成されるパターンやいくつかの実装部品を省略して示している。
【００３２】
液晶表示基板１０の基板表面には、導電用の第１パターンＰ１が形成されており、回路基板２０の基板表面には導電用の第２パターンＰ２が形成されている。第１パターンＰ１は、回路基板２０の端子として構成されるものであり、例えば回路基板２０内の素子と導通している。また、第２パターンＰ２は、液晶表示基板Ｐ２の端子として構成されており、例えば液晶表示基板１０内の回路と導通している。本実施形態では、これら第１パターンＰ１及び第２パターンＰ２を導通させる圧接型コネクタ３０が配置されている。
【００３３】
本実施形態に係る圧接型コネクタ３０は、ゼブラコネクタと称されるものが用いられており、図９、図１０に示すような構成をなしている。図９は、圧接型コネクタ３０を一端側から見た図であり、図１０は圧接型コネクタ３０を側方から見た図である。なお、図１０では、内部構造を部分的に示している。具体的には公知のゼブラコネクタと同様の構成をなしており、シリコーンゴムなどの高分子材料からなる弾性変形可能な本体部３７の内部に、複数の導電路３９が配されておりその導電路の両端部が端子３８として構成されている。
【００３４】
ガイド部６０は、第１ガイド壁６１、第２ガイド壁６２、湾曲壁６３、及び内側壁６５によって構成されており、圧接型コネクタ３０を折り曲げ状態で収容している。ガイド部６０では、図９、図１０のように構成される圧接型コネクタ３０を折り曲げて配置し、圧接型コネクタ３０の一端側部分３１を回路基板２０側に案内すると共に、他端側部分３２を一端側部分３１に対して屈曲させて液晶表示基板１０側に案内している。
【００３５】
そして、両端部３１Ａ，３２Ａがそれぞれ回路基板２０及び液晶表示基板１０によって押圧状態となり、両端の端子３８，３８が第１パターンＰ１及び第２パターンＰ２にそれぞれ当接するように圧接型コネクタ３０を保持している。なお、図８では、圧接コネクタ３０がガイド部６０によって保持された状態での圧接コネクタ３０、回路基板２０、液晶表示基板１０の関係を概念的に説明しており、図８ではガイド部６０を省略して示している。
【００３６】
本実施形態では、回路基板２０に対して液晶表示基板１０が直交する向きに配置されており、ガイド部６０は、一端側部分３１に対して他端側部分３２を略直交させる向きに案内するように形成されている。具体的には、ガイド部６０に形成された第１ガイド壁６１によって一端側部分３１を回路基板２０に対して直交する向きに案内し、第２ガイド壁６２によって他端側部分３２を液晶表示基板１０に対して直交する向きに案内している。
【００３７】
第１ガイド壁６１は、折り曲げられた圧接型コネクタ３０における一端側部分３１の外側面３１Ｂと対向しかつ回路基板２０の基板面２０Ａと直交する第１壁面６１Ａを有している。即ち、一端側部分３１は第１壁面６１Ａに沿って案内されるようになっている。また、第２ガイド壁は、圧接型コネクタ３０の他端側部分３２の外側面３２Ｂと対向しかつ液晶表示基板１０の基板面１０Ａと直交する第２壁面６２Ａを有している。他端側部分３２は、第２壁面６２Ａに沿って案内されるようになっている。
【００３８】
さらに、第１ガイド壁６１と第２ガイド壁６２の間において第１ガイド壁６１及び第２ガイド壁６２のそれぞれと隣接し、かつ圧接型コネクタ３０の屈曲部３３の外側面３３Ｂと対向する湾曲壁面６３Ａを有する湾曲壁６３が形成されている。湾曲壁６３及び第１ガイド壁６１は、本体ケース２と一体的に形成されており、第２ガイド壁６２は、側面壁３Ｄの裏面側に支持される板状部材によって構成されている。
【００３９】
湾曲壁面６３Ａは案内面に相当するものであり、圧接型コネクタ３０の屈曲部３３における外側面３３Ｂに当接し、かつ液晶表示基板１０の基板面１０Ａ及び回路基板２０の基板面２０Ａに対して湾曲状態で傾斜する構成をなしている。ガイド部６０では、湾曲壁面６３Ａ（案内面）と回路基板２０とによって一端側部分３１が挟持されており、かつ当該湾曲壁面６３Ａ（案内面）と液晶表示基板１０とによって他端側部分３２が挟持されている。
【００４０】
また、回路基板２０には、液晶表示基板１０に対するバックライト用の発光素子２２が配置されている。この発光素子２２は、サイドビュータイプのＬＥＤチップとして構成されており回路基板２０の基板面２０Ａに沿う方向であってかつ液晶表示基板１０側に光を照射する構成をなしている。具体的には、発光素子２２は、素子本体部２２Ａと当該素子本体部２２Ａと回路基板２０とを接続する接続端子（素子本体部２２Ａの内部から回路基板２０の基板面２０Ａに至る構成をなす端子：図６では図示略）とを有し、素子本体部２２Ａの一端部２２Ｃが回路基板２０の基板面２０Ａと対向する（図６の例では一端部２２Ｃが基板面２０Ａと対向し、かつほぼ当接する構成をなす）と共に、一端部２０Ｃ側から接続端子（図示略）が回路基板２０と電気的に接続され、一端部２０Ｃに対し側方側（側端部２２Ｂ側：図７参照）から光を照射するサイド照射型発光素子として構成されている。
【００４１】
以上のように本実施形態の構成によれば、本体ケース２内で液晶表示基板１０と回路基板２０とを互いに交差する向きに配置することができ、スペースを生かした効率的な配置が可能となる。また、このように交差させて配置した場合であっても圧接型コネクタ３０の両端部がそれぞれ回路基板２０及び液晶表示基板１０によって押圧された状態となるように圧接型コネクタ３０をガイド部６０によって保持されるため、圧接型コネクタ３０を用いて両基板を適切に導通させることができるようになる。
【００４２】
具体的には、液晶表示基板１０と回路基板２０とが直交状態で効率的に配置されている。一方、このように液晶表示基板１０と回路基板２０とを直交状態で配置すると、液晶表示基板１０と回路基板２０とによって圧接型コネクタ３０を挟持することが困難となるため、圧接型コネクタの両端部をそれぞれ液晶表示基板１０及び回路基板２０に押圧させて導通を図ることが難しくなる。しかしながら、本実施形態のようにガイド部６０によって一端側部分３１と他端側部分３２とを略直交させるように案内して保持すれば、圧接側コネクタの両端部をそれぞれの基板に適切に押圧できるようになる。
【００４３】
ガイド部６０において、圧接型コネクタ３０の屈曲部３３における外側面に当接し、かつ液晶表示基板１０の基板面１０Ａ及び回路基板２０の基板面２０Ａに対して傾斜する案内面が設けられ、案内面と回路基板２０とによって一端側部分３１を挟持し、かつ当該案内面と液晶表示基板１０とによって他端側部分３２を挟持しているため、圧接型コネクタ３０を折り曲げ状態とした上でそれぞれの端部を安定して基板に押圧させることのできる好適例となる。
【００４４】
ガイド部６０において、折り曲げられた圧接型コネクタ３０における一端側部分３１の外側面と対向しかつ回路基板２０の基板面２０Ａと直交する第１壁面６１Ａを有する第１ガイド壁６１と、圧接型コネクタ３０の他端側部分３２の外側面と対向しかつ液晶表示基板１０の基板面１０Ａと直交する第２壁面６２Ａを有する第２ガイド壁６２とが形成されているため、折り曲げられた圧接型コネクタ３０の復帰力を利用してその圧接型コネクタ３０のそれぞれの端部を各基板に対し直交する向きに適切に案内できる。
【００４５】
また、第１ガイド壁６１及び第２ガイド壁６２と隣接して、圧接型コネクタ３０の屈曲部３３の外側面と対向する湾曲壁面６３Ａを有する湾曲壁６３が形成されているため、圧接型コネクタ３０をガイド部６０に保持させる際にスムーズに誘導できると共にその湾曲面を利用して両端部における押圧力を生じさせることができいる。
【００４６】
回路基板２０に液晶表示基板１０に対するバックライト用の発光素子２２を配置しているため、バックライト用の基板を別途液晶表示基板１０と平行に配置する必要がなく、部品点数削減、コスト低減を効果的に実現できる。
【００４７】
回路基板２０に搭載される発光素子２２が、回路基板２０の基板面２０Ａに沿った方向側に光を照射する構成であるため、直交配置された回路基板２０を利用して液晶表示基板１０に対してコンパクトにかつ効率的に光を照射できる。
【００４８】
＜他の実施形態＞
本発明は上記記述及び図面によって説明した実施形態に限定されるものではなく、例えば次のような実施形態も本発明の技術的範囲に含まれる。
【００４９】
（１）上記実施形態では、電子機器の例として投光手段及び受光手段を用いて被検出物の検出を行う検出スイッチを例示したが、液晶表示基板を有するものであればこれ以外の電子機器であってもよい。
（２）上記実施形態では、液晶表示基板１０と、接続対象となる回路基板２０とが直交状態(基板面１０Ａと基板面２０Ａが直交する状態）で配置される例を示したが、両基板面が交差状態であれば、これに限定されない。例えば、液晶表示基板１０の基板面と回路基板２０の基板面とのなす角度が鋭角となるように傾斜して配置されていてもよく、鈍角となるように傾斜して配置されていてもよい。
【図面の簡単な説明】
【００５０】
【図１】実施形態１に係る検出スイッチ１を例示する平面図
【図２】図２の検出スイッチ１の斜視図
【図３】図１は検出スイッチ１の電気的構成を例示するブロック図
【図４】検出スイッチ１の側面図
【図５】検出スイッチ１の正面図
【図６】図４のＡ−Ａ切断線にて切断したＡ−Ａ断面概略図
【図７】図１のＢ−Ｂ切断線にて切断したＢ−Ｂ断面概略図
【図８】液晶表示基板１０、圧接型コネクタ３０、回路基板２０の関係を概念的に説明する斜視図
【図９】圧接型コネクタを一端側から見た図
【図１０】図９の圧接型コネクタを側方から見た側面図であり、一部分の内部構造を破断線にて示す図
【符号の説明】
【００５１】
１…検出スイッチ（電子機器）
２…本体ケース
１０…液晶表示基板
１０Ａ…基板面
２０…回路基板
２０Ａ…基板面
２２…発光素子
３０…圧接型コネクタ
３１…一端側部分
３２…他端側部分
３３…屈曲部
６０…ガイド部
６１…第１ガイド壁
６１Ａ…第１壁面
６２…第２ガイド壁
６２Ａ…第２壁面
６３…湾曲壁
６３Ａ…湾曲壁面（案内面）
Ｐ１…第１パターン
Ｐ２…第２パターン
【図１】
0004820684.tif 000002
【図２】
0004820684.tif 000003
【図３】
0004820684.tif 000004
【図４】
0004820684.tif 000005
【図５】
0004820684.tif 000006
【図６】
0004820684.tif 000007
【図７】
0004820684.tif 000008
【図８】
0004820684.tif 000009
【図９】
0004820684.tif 000010
【図１０】
0004820684.tif 000011